(57)【要約】【課題】食品等の内容物を充填、密封し、そのまま電子レンジで加熱調理しても、内容物が漏れない包装袋を提供することにある。【解決手段】一辺に開口部を有する三方シール袋の開口部の反対辺に近接す位置の表側に、片面がイージーピール性を有する二層構成のテープの両面を表用積層材料で覆ってなり、上に突出した形状の折り込み部を連設し、該折り込み部にサイドシール部、折り込み部の上辺から直角に下方に直線状に所定長さで延びた後に折れ曲がって上辺方向に斜めに所定長さで延び、さらに折れ曲がって上辺まで直線状に延びた２本の線で囲まれたものからなる安全弁用シール部、Ｕ状シール部、同一形状の安全弁用シール部、サイドシール部を未シール部を介して幅方向に順次連設し、安全弁用シール部及びＵ状シール部で囲まれた未シール部に水蒸気を排出する為の貫通孔部を設け、前記折り込み部の下端に近接する位置にヒートシール部を設けたものからなる。【選択図】図１
2005280736.tif 000002
【特許請求の範囲】
【請求項１】
単層若しくは多層のフィルムからなる基材層の一方の面にシーラント層が積層されてなる表用積層材料と裏用積層材料を、該シーラント層同士が相対するように重ね合わせ、一辺に開口部を設け、残りの辺にヒートシール部を設けた袋の開口部の反対辺に近接す位置の表側に、ポリプロピレン樹脂層とイージーピール性樹脂層との二層構成からなり、袋の横幅と同一幅で所定長さの長方形のテープをイージーピール性樹脂層面が内容物に接するようにして、表用積層材料でテープの両面を覆ってなり、上方に突出した形状の折り込み部を開口部と平行に連設し、該折り込み部に幅方向の一端から所定幅のサイドシール部、安全弁用シール部、Ｕ状シール部、安全弁用シール部、サイドシール部をそれぞれ未シール部を介して幅方向に順次連設し、前記安全弁用シール部及びＵ状シール部で囲まれた未シール部に水蒸気を排出する為の貫通孔部を設け、さらに前記折り込み部の下端に近接する位置に開口部と平行に所定幅のヒートシール部を設けたものからなることを特徴とする包装袋。
【請求項２】
前記安全弁用シール部が折り込み部の上辺から直角に下方に直線状に所定長さで延びた後に折れ曲がって上辺方向に斜めに所定長さで延び、さらに折れ曲がって上辺まで直線状に延びた２本の線で囲まれたものからなることを特徴とする請求項１記載の包装袋。
【請求項３】
前記Ｕ状シール部が折り込み部の上辺から直角に下方に所定長さで延びた後に折れ曲がって所定長さで延び、さらに折れ曲がって上辺まで延びた２本の線で囲まれたものからなることを特徴とする請求項１又は請求項２記載の包装袋。
【発明の詳細な説明】
【技術分野】
【０００１】
本発明は、食品等の内容物を包装する為の袋に関するものである。
【背景技術】
【０００２】
近年、調理済みあるいは半調理済みの食品等を積層包装材料からなる包装袋に充填、密封し、食する直前に電子レンジで加熱、調理するタイプの包装食品が多く使用されている。しかし、前記包装食品に使用されている従来の包装袋は、食品等を充填密封した状態でそのまま電子レンジで加熱すると、加熱時に食品等から発生する水蒸気等の内圧により破袋し、食品等が飛散して、電子レンジ内を汚染してしまう等の欠点を有していた。電子レンジ加熱時に包装袋が破袋しないように、加熱直前に包装袋の一部をハサミなどで切り取って孔を設けてから加熱する方法があるが、この場合はハサミなどの道具を必要とする等の煩わしさがあるばかりでなく、加熱時に発生した水蒸気が前記の孔から直ぐに外に放出されてしまう為に、水蒸気による蒸し調理効果が低減されると共に、袋内の食品の乾燥を進行させて、味などの各種劣化を生じさせていた。前記問題点を解消する為に、食品等を充填、密封した包装食品をそのまま電子レンジで加熱しても、使用した袋が破袋し難い包装袋が提案されている（例えば、特許文献１参照。）。
【特許文献１】特開平９−１５０８６４号公報
【発明の開示】
【発明が解決しようとする課題】
【０００３】
しかしながら、上記提案されている包装袋でも、電子レンジ加熱時に包装袋のサイドシール部から剥離し、そこから充填包装した食品等が漏れる等の問題を有してした。
【０００４】
本発明の課題は、食品等の内容物を充填、密封し、そのまま電子レンジで加熱調理しても、破袋し難く、内容物が漏れない包装袋を提供することにある。
【課題を解決するための手段】
【０００５】
本発明の請求項１に係る発明は、単層若しくは多層のフィルムからなる基材層の一方の面にシーラント層が積層されてなる表用積層材料と裏用積層材料を、該シーラント層同士が相対するように重ね合わせ、一辺に開口部を設け、残りの辺にヒートシール部を設けた袋の開口部の反対辺に近接す位置の表側に、ポリプロピレン樹脂層とイージーピール性樹脂層との二層構成からなり、袋の横幅と同一幅で所定長さの長方形のテープをイージーピール性樹脂層面が内容物に接するようにして、表用積層材料でテープの両面を覆ってなり、上方に突出した形状の折り込み部を開口部と平行に連設し、該折り込み部に幅方向の一端から所定幅のサイドシール部、安全弁用シール部、Ｕ状シール部、安全弁用シール部、サイドシール部をそれぞれ未シール部を介して幅方向に順次連設し、前記安全弁用シール部及びＵ状シール部で囲まれた未シール部に水蒸気を排出する為の貫通孔部を設け、さらに前記折り込み部の下端に近接する位置に開口部と平行に所定幅のヒートシール部を設けたものからなることを特徴とする包装袋である。
【０００６】
本発明の請求項２に係る発明は、上記請求項１に係る発明において、前記安全弁用シール部が折り込み部の上辺から直角に下方に直線状に所定長さで延びた後に折れ曲がって上辺方向に斜めに所定長さで延び、さらに折れ曲がって上辺まで直線状に延びた２本の線で囲まれたものからなることを特徴とする包装袋である。
【０００７】
本発明の請求項３に係る発明は、上記請求項１又は請求項２に係る発明において、前記
Ｕ状シール部が折り込み部の上辺から直角に下方に所定長さで延びた後に折れ曲がって所定長さで延び、さらに折れ曲がって上辺まで延びた２本の線で囲まれたものからなることを特徴とする包装袋である。
【発明の効果】
【０００８】
本発明の包装袋は、単層若しくは多層のフィルムからなる基材層の一方の面にシーラント層が積層されてなる表用積層材料と裏用積層材料を、該シーラント層同士が相対するように重ね合わせ、一辺に開口部を設け、残りの辺にヒートシール部を設けた袋の開口部の反対辺に近接す位置の表側に、ポリプロピレン樹脂層とイージーピール性樹脂層との二層構成からなり、袋の横幅と同一幅で所定長さの長方形のテープをイージーピール性樹脂層面が内容物に接するようにして、表用積層材料でテープの両面を覆ってなり、上方に突出した形状の折り込み部を開口部と平行に連設し、該折り込み部に幅方向の一端から所定幅のサイドシール部、安全弁用シール部、Ｕ状シール部、安全弁用シール部、サイドシール部をそれぞれ未シール部を介して幅方向に順次連設し、前記安全弁用シール部及びＵ状シール部で囲まれた未シール部に水蒸気を排出する為の貫通孔部を設け、さらに前記折り込み部の下端に近接する位置に開口部と平行に所定幅のヒートシール部を設けたものからなり、前記安全弁用シール部が折り込み部の上辺から直角に下方に直線状に所定長さで延びた後に折れ曲がって上辺方向に斜めに所定長さで延び、さらに折れ曲がって上辺まで直線状に延びた２本の線で囲まれたものからなり、前記Ｕ状シール部が折り込み部の上辺から直角に下方に所定長さで延びた後に折れ曲がって所定長さで延び、さらに折れ曲がって上辺まで延びた２本の線で囲まれたものからなっているので、この袋に食品等の内容物を充填、密封したものをそのまま電子レンジで加熱、調理しても、袋が破袋して内容物が漏れたりして、電子レンジ内を汚さない。
【発明を実施するための最良の形態】
【０００９】
本発明の包装袋を実施の形態に沿って以下に説明する。図３（ａ）は本発明の包装袋に使用される表用積層材料の一実施形態を示す側断面図であり、表用積層材料（２０）は、単層若しくは多層のフィルムからなる基材層（２１）の一方の面に接着剤層（２２）、シーラント層（２３）が積層された構成になっており、（ｂ）は本発明の包装袋に使用される裏用積層材料の一実施形態を示す側断面図であり、裏用積層材料（２０′）は、単層若しくは多層のフィルムからなる基材層（２１′）の一方の面に接着剤層（２２′）、シーラント層（２３′）が積層された構成になっている。
【００１０】
前記基材層（２１、２１′）は、単層若しくは多層のフィルムからなり、使用されるフィルムとしては、例えば厚さ２０〜３０μｍの二軸延伸ポリプロピレンフイルム、厚さ１５〜２５μｍの二軸延伸ナイロンフイルム、厚さ６〜１２μｍの二軸延伸ポリエステルフイルム、若しくは酸化珪素若しくは酸化アルミニウムなどの無機酸化物を蒸着した蒸着ポリエステルフィルム（厚さ６〜１２μｍ）などが使用でき、さらには前記フィルムに二軸延伸ナイロンフィルム、無延伸ナイロンフィルム、二軸延伸ポリビニルアルコールフィルム（厚さ６〜１５μｍ）、エチレン／ビニルアルコールフィルム（厚さ６〜２０μｍ）等を積層した積層フィルムが使用できる。
【００１１】
前記接着剤層（２２、２２′）には、一般的にポリウレタン系接着剤を使用する。通常、水酸基を持った主剤とイソシアネート基を持った硬化剤とを２液混合して使用する２液型が使用される。その積層方法は公知のグラビアコート方式で積層する。塗布量は１〜５ｇ／ｍ2（乾燥状態）が良い。
【００１２】
前記シーラント層（２３、２３′）は、耐熱性のあるポリオレフィン系樹脂若しくはポリオレフィン系樹脂フィルムからなっており、樹脂としては、例えば、ホモポリプロピレン樹脂、プロピレン−エチレンランダム共重合体、プロピレン−エチレンブロック共重合
体、ポリプロピレン−α−オレフィン共重合体などのポリプロピレン系樹脂などが使用でき、積層方法は公知の溶融押出法あるいはドライラミネーション法で積層する。
【００１３】
図４は本発明の包装袋に使用されるテープの一実施形態を示す側断面図であり、テープ（３０）はポリプロピレン樹脂層（３１）とイージーピール性樹脂層（３２）の二層構成からなっており、前記イージーピール性樹脂層（３２）の樹脂としては、通常ポリプロピレン樹脂とポリエチレン樹脂との混合樹脂が使用される。テープの厚みは４０〜１００μｍである。
【００１４】
図１は本発明の包装袋の一実施形態を示す斜視図であり、包装袋（１）は、前記記載の表用積層材料（２０）及び裏用積層材料（２０′）を、該シーラント層同士が相対するように重ねて、一方の辺に開口部（２）設け、残りの辺にヒートシール部（３、４、５）を設けており、さらに開口部（２）の反対辺に近接する位置の表側に、ポリプロピレン樹脂層（３１）とイージーピール性樹脂層（３２）との二層構成からなり、包装袋（１）の横幅と同一幅で所定長さの長方形のテープ（３０）をイージーピール性樹脂層（３２）面が内容物に接するようにして、表用積層材料（２０）でテープ（３０）の両面を覆ってなり、上方に突出した形状の折り込み部（１０）が開口部（２）と平行に連設されており、前記折り込み部（１０）には幅方向の一端から所定幅のサイドシール部（１１）、安全弁用シール部（１３）、Ｕ状シール部（１５）、安全弁用シール部（１４）、サイドシール部（１２）がそれぞれ未シール部（１６）を介して順次連設されており、前記安全弁用シール部（１３）、Ｕ状シール部（１５）、安全弁用シール部（１４）で囲まれた未シール部（１７ａ、１７ｂ、１７ｃ）にはそれぞれ発生した水蒸気を排出する為の貫通孔部（１８）が設けられており、さらに、折り込み部（１０）の下端に近接する位置に開口部（２）と平行に所定幅のヒートシール部（６）が設けられている。なお、前記ヒートシール部（６）のサイドシール部（３）とサイドシール部（５）以外の部分は表用積層材料（２０）とテープ（３０）だけがシールされた状態になっている。
【００１５】
前記安全弁用シール部（１３）及び（１４）は、折り込み部（１０）の上辺（１０ａ）から直角に下方に直線状に所定長さで延びた後に折れ曲がって上辺（１０ａ）方向に斜めに所定長さで延び、さらに折れ曲がって上辺（１０ａ）まで直線状に延びた２本の線で囲まれたものからなり、前記Ｕ状シール部（１５）は折り込み部（１０）の上辺（１０ａ）から直角に下方に所定長さで延びた後に折れ曲がって所定長さで延び、さらに折れ曲がって上辺（１０ａ）まで延びた２本の線で囲まれたものからなっており、上記の形状にすることにより、加熱調理時に袋の中で発生した内容物由来の水蒸気による内圧が前記安全弁用シール部（１３、１４）及びＵ状シール部（１５）にかかり、安全弁用シール部（１３、１４）及びＵ状シール部（１５）の折り返された部分の表用積層材料のシーラント層（２３）とテープ（３０）のイージーピール性樹脂層（３２）との界面が、袋（１）の幅方向の両端のヒートシール部（３）及び（５）の部分の裏用積層材料のシーラント層（２３′）とテープ（３０）のイージーピール性樹脂層（３２）の界面より早く剥離し、水蒸気が貫通孔部（１８）を通って外に排出されるので、包装袋が破袋し、内容物が漏れることがないようになっている。
【００１６】
図２（ａ）は図１のＡ−Ａ′面の断面説明図であり、折り込み部（１０）は、表用積層材料（２０）がテープ（３０）を両面から覆った状態で、厚み方向に順に表用積層材料（２０）、テープ（３０）、表用積層材料（２０）を重ねた状態でシールしたＵ状シール部（１５）を有し、前記Ｕ状シール部（１５）で囲まれた未シール部（１７ｂ）の表用積層材料（２０）に貫通孔部（１８）を有しており、折り込み部（１０）の下端に近接する位置に、厚み方向に順に表用積層材料（２０）、テープ（３０）を重ねてシールしたヒートシール部（６）を有しており、（ｂ）は図１のＢ−Ｂ′面の断面説明図であり、折り込み部（１０）は、表用積層材料（２０）がテープ（３０）を両面から覆った状態で、厚み方
向に順に表用積層材料（２０）、テープ（３０）、表用積層材料（２０）を重ねた状態でシールした安全弁用シール部（１４）を有しており、折り込み部（１０）の下端に近接する位置に、厚み方向に順に表用積層材料（２０）、テープ（３０）を重ねてシールしたヒートシール部（６）を有しており、（ｃ）は図１のＣ−Ｃ′面の断面説明図であり、折り込み部（１０）は、表用積層材料（２０）がテープ（３０）を両面から覆った状態で、折り込み部（１０）の下端に近接する位置に、厚み方向に順に表用積層材料（２０）、テープ（３０）を重ねてシールしたヒートシール部（６）を有している。
【００１７】
図５（ａ）〜（ｂ）は本発明の包装袋に内容物を充填、密封した包装食品を電子レンジで加熱した時の状態を説明する為の図であり、袋（１）に内容物（４０）を充填、密封したものを電子レンジで加熱すると、内容物（４０）が加熱され、水分が蒸発して水蒸気（４１）が発生して内圧がかかり、袋は膨張する。その時、安全弁用シール部及びＵ状シール部のテープのイージーピール性樹脂層（３２）面と折り返された表用積層材料のシーラント層面（２３）の界面で隔離し、その部分から水蒸気が貫通孔部（１８）を通って外に排出されるので、包装袋が破袋することがなく、内容物が外に漏れることがない。
【図面の簡単な説明】
【００１８】
【図１】本発明の包装袋の一実施形態を示す斜視図である。
【図２】（ａ）は図１のＡ−Ａ′面の断面説明図であり、（ｂ）は図１のＢ−Ｂ′面の断面説明図であり、（ｃ）は図１のＣ−Ｃ′面の断面説明図である。
【図３】（ａ）本発明の包装袋に使用される表用積層材料の一実施形態を示す側断面図であり、（ｂ）は本発明の包装袋に使用される裏用積層材料の一実施形態を示す側断面図である。
【図４】本発明の包装袋に使用されるテープの一実施形態を示す側断面図である。
【図５】本発明の包装袋を使用した包装食品を電子レンジで加熱した時の状態を説明する為の図である。
【符号の説明】
【００１９】
１…包装袋
２…開口部
３，４，５，６…ヒートシール部
１０…折り込み部
１０ａ…折り込み部の上辺
１１，１２…サイドシール部
１３、１４…安全弁用シール部
１５…Ｕ状シール部
１６…未シール部
１７ａ，１７ｂ，１７ｃ…未シール部
１８…貫通孔部
２０…表用積層材料
２０′…裏用積層材料
２１，２１′…基材層
２２，２２′…接着剤層
２３，２３′…シーラント層
３０…テープ
３１…ポリプロピレン樹脂層
３２…イージーピール性樹脂層
４０…内容物
４１…水蒸気
【図１】
2005280736.tif 000003
【図２】
2005280736.tif 000004
【図３】
2005280736.tif 000005
【図４】
2005280736.tif 000006
【図５】
2005280736.tif 000007